(57)【要約】【課題】動画の合成を簡単に行うことができる動画データ合成装置、動画データ合成プログラム、および動画データ合成システムを提供する。【解決手段】動画撮影で得られる動画が記録されているとともに、その動画撮影の時刻も記録されている複数の動画データを取得する取得部と、上記取得部により取得された複数の動画データそれぞれについて動画撮影の時刻を確認する時刻確認部と、上記複数の動画データを、上記時刻確認部により確認された時刻に基づき、互いに時間を同期させて１つの動画データに合成する合成部とを備えたことを特徴とする動画データ合成装置。【選択図】        図９
2007074277.tif 000002
【特許請求の範囲】
【請求項１】
動画撮影で得られる動画が記録されているとともに、その動画撮影の時刻も記録されている複数の動画データを取得する取得部と、
前記取得部により取得された複数の動画データそれぞれについて動画撮影の時刻を確認する時刻確認部と、
前記複数の動画データを、前記時刻確認部により確認された時刻に基づき、互いに時間を同期させて１つの動画データに合成する合成部とを備えたことを特徴とする動画データ合成装置。
【請求項２】
前記合成部は、前記複数の動画データの中に、撮影時刻が連続していない動画部分から構成された動画を表す動画データが存在する場合には、該動画の分割も許して前記複数の動画データを互いに時間を同期させて１つの動画データに合成するものであることを特徴とする請求項１記載の動画データ合成装置。
【請求項３】
前記合成部は、前記複数の動画データを、互いに時間が同期した複数チャンネルの動画を内包した形式の動画データに合成することを特徴とする請求項１記載の動画データ合成装置。
【請求項４】
コンピュータシステムに組み込まれ、そのコンピュータシステム上に、
動画撮影の行われた撮影時刻が動画とともに記録されている複数の動画データを取得する取得部と、
前記取得部により取得された複数の動画データそれぞれについて動画内の画像の撮影時刻を確認する時刻確認部と、
前記時刻確認部により確認された時刻に基づき、前記複数の動画データを、各動画データの分割も許して時間を同期させて１つの動画データに合成する合成部とを構築することを特徴とする動画データ合成プログラム。
【請求項５】
動画撮影で得られる動画が記録されているとともに、その動画撮影の時刻も記録されている動画データを生成する複数のデジタルカメラ；  および、
前記複数のデジタルカメラで生成された複数の動画データを取得する取得部と、前記取得部により取得された複数の動画データそれぞれについて動画撮影の時刻を確認する時刻確認部と、前記複数の動画データを、前記時刻確認部により確認された時刻に基づき、互いに時間を同期させて１つの動画データに合成する合成部とを有する動画データ合成装置；
を備えたことを特徴とする動画データ合成システム。
【発明の詳細な説明】
【技術分野】
【０００１】
本発明は、動画データの合成を行う動画データ合成装置、動画データ合成プログラム、および動画データ合成システムに関する。
【背景技術】
【０００２】
近年、動画撮影装置の技術分野では、従来からのビデオカメラに加えて動画撮影の機能を備えたデジタルカメラが登場するようになり、多くの人々が手軽に動画撮影を楽しめるようになった。動画は、撮影時の状況を時間ごとに変化する画像で表すことで、静止画よりも撮影時の状況についてより多くの情報を与えることができるとともに、撮影時の臨場感をより強く出すこともできる。
【０００３】
最近では、このような動画の特性をさらに推し進め、複数の動画をまとめて１つの動画に合成することで、さらに多くの情報量を有するとともに臨場感のあふれる動画を作成することが提案されている（例えば、特許文献１参照）。
【特許文献１】特開２００３‐１９９０４７号公報
【発明の開示】
【発明が解決しようとする課題】
【０００４】
しかしながら、特許文献１記載の動画の合成方法は手作業を必要とし、そのため時間と労力がかかる。
【０００５】
本発明は、上記事情に鑑み、動画の合成を簡単に行うことができる動画データ合成装置、動画データ合成プログラム、および動画データ合成システムを提供することを目的とする。
【課題を解決するための手段】
【０００６】
上記目的を達成するための本発明の動画データ合成装置は、
動画撮影で得られる動画が記録されているとともに、その動画撮影の時刻も記録されている複数の動画データを取得する取得部と、
上記取得部により取得された複数の動画データそれぞれについて動画撮影の時刻を確認する時刻確認部と、
上記複数の動画データを、上記時刻確認部により確認された時刻に基づき、互いに時間を同期させて１つの動画データに合成する合成部とを備えたことを特徴とする。
【０００７】
本発明の動画データ合成装置は、複数の動画データそれぞれについて動画が撮影された時間の確認して１つの動画データに合成するため、時間の同期が行われた動画の合成を手作業を必要とせずに簡単に行うことができる。
【０００８】
また、本発明の動画データ合成装置において、「上記合成部は、上記複数の動画データの中に、撮影時刻が連続していない動画部分から構成された動画を表す動画データが存在する場合には、該動画の分割も許して上記複数の動画データを互いに時間を同期させて１つの動画データに合成するものである」という形態は好ましい形態である。
【０００９】
このような形態の動画データ合成装置により、合成される複数の動画の中に撮影時刻が連続していない動画部分から構成された動画が存在していても、そのような動画を人間が手作業で時間ごとに分割する必要がなく、自動的に動画データの合成を行うことができる。
【００１０】
また、本発明の動画データ合成装置において、「上記合成部は、上記複数の動画データを、互いに時間が同期した複数チャンネルの動画を内包した形式の動画データに合成する」という形態は好ましい形態である。
【００１１】
このような形態の動画データ合成装置により、ユーザは、合成された動画をチャンネルを切換えて再生を行うことで、合成前の複数の動画のうち所望の動画を見ることが可能になる。
【００１２】
上記目的を達成するための本発明の動画データ合成プログラムは、
コンピュータシステムに組み込まれ、そのコンピュータシステム上に、
動画撮影の行われた撮影時刻が動画とともに記録されている複数の動画データを取得する取得部と、
上記取得部により取得された複数の動画データそれぞれについて動画内の画像の撮影時刻を確認する時刻確認部と、
上記時刻確認部により確認された時刻に基づき、上記複数の動画データを、各動画データの分割も許して時間を同期させて１つの動画データに合成する合成部とを構築することを特徴とする。
【００１３】
この本発明の動画データ合成プログラムをコンピュータシステム内で実行することによって、本発明の動画データ合成装置を容易に実現することができる。
【００１４】
なお、本発明にいう動画データ合成プログラムについては、ここではその基本形態のみを示すにとどめるが、これは単に重複を避けるためであり、本発明にいう動画データ合成プログラムには、上記の基本形態のみでなく、前述した動画データ合成装置の各形態に対応する各種の形態が含まれる。
【００１５】
さらに、本発明の動画データ合成プログラムがコンピュータシステム上に構築する合成部などといった要素は、１つの要素が１つのプログラム部品によって構築されるものであってもよく、１つの要素が複数のプログラム部品によって構築されるものであってもよく、複数の要素が１つのプログラム部品によって構築されるものであってもよい。また、これらの要素は、そのような作用を自分自身で実行するものとして構築されていてもよく、あるいは、コンピュータシステムに組み込まれている他のプログラムやプログラム部品に指示を与えて実行するものとして構築されていてもよい。
【００１６】
上記目的を達成するための本発明の動画データ合成システムは、
動画撮影で得られる動画が記録されているとともに、その動画撮影の時刻も記録されている動画データを生成する複数のデジタルカメラ；  および、
上記複数のデジタルカメラで生成された複数の動画データを取得する取得部と、上記取得部により取得された複数の動画データそれぞれについて動画撮影の時刻を確認する時刻確認部と、上記複数の動画データを、上記時刻確認部により確認された時刻に基づき、互いに時間を同期させて１つの動画データに合成する合成部とを有する動画データ合成装置；
を備えたことを特徴とする。
【００１７】
このような動画データ合成システムにより、複数のデジタルカメラで生成され、動画撮影の時刻が記録されている複数の動画データを、簡単に合成することができる。
【発明の効果】
【００１８】
本発明の動画データ合成装置、動画データ合成プログラム、および動画データ合成システムによれば、動画の合成を簡単に行うことができる。
【発明を実施するための最良の形態】
【００１９】
以下、本発明の実施形態について説明する。
【００２０】
図１は、本発明の一実施形態が適用された動画データ合成システムの全体構成図である。
【００２１】
この動画データ合成システムは、デジタルカメラ１，２，３それぞれで撮影されて記録された動画データを、パーソナルコンピュータ１００が読み込んで１つの動画データに合成するシステムであり、これら３台のデジタルカメラとパーソナルコンピュータ１００とは、それぞれＵＳＢケーブル２０１，２０２，２０３によって接続されており、この３本のＵＳＢケーブルを介して動画データや読み出し指示のやりとりが行われる。これら３台のデジタルカメラとパーソナルコンピュータ１００とを合わせたものが、本発明の動画データ合成システムの一例に相当する。
【００２２】
この動画データ合成システムにおいて、合成対象となる動画データは、動画中の画像とその画像が撮影された時刻とが対応付けられて記録されている動画データであればよい。従ってそのような動画データを生成するデジタルカメラであればよく、動画データを合成する上ではパーソナルコンピュータ１００が中心的な役割を果たす。この動画データ合成システムにおける、本発明の一実施形態としての特徴は、このパーソナルコンピュータ１００で実行される動画データを合成する処理の内容にあり、このパーソナルコンピュータ１００が、本発明の動画データ合成装置の一実施形態として動作する。以下では、このパーソナルコンピュータ１００について説明する。
【００２３】
図２は、本発明の動画データ合成装置の一実施形態として動作するパーソナルコンピュータの外観斜視図、図３は、そのハードウェア構成図である。
【００２４】
このパーソナルコンピュータ１００は、後述するＣＰＵ、メモリ、ハードディスク等を内蔵した本体部１１０、本体部１１０からの指示により表示画面１２１に画面表示を行なう画像表示装置１２０、このパーソナルコンピュータ１００内にユーザの指示や文字情報を入力するためのキーボード１３０、表示画面１２１上の任意の位置を指定することによりその位置に応じた指示を入力するマウス１４０を備えている。
【００２５】
本体部１１０は、さらにフレキシブルディスク（以下ＦＤと略す）が装填されるＦＤ装填口１１１、およびＣＤ−Ｒ／ＲＷ，ＤＶＤ−Ｒ／ＲＷなど記憶容量がＦＤよりはるかに大きく書き込み可能な大容量メディア（以下書込可能大容量メディアと称す）が装填される書込可能大容量メディア装填口１１２を有している。この書込可能大容量メディア装填口１１２では、ＣＤ−ＲＯＭ（すなわち書き込み式ではないＣＤ）を挿入してその中の情報を読み込むことも可能である。これらＦＤ装填口１１１、および書込可能大容量メディア装填口１１２の内部には、装填されたＦＤをドライブするＦＤドライブ、装填された書込可能大容量メディアやＣＤ−ＲＯＭをドライブする、書込可能大容量メディアドライブも内蔵されている。
【００２６】
本体部１１０の内部には、図３に示すように、各種プログラムを実行するＣＰＵ２１１、ハードディスク装置２１３に格納されたプログラムが読み出されＣＰＵ２１１での実行のために展開されるとともに、データの一時記憶を行うメモリ２１２、各種プログラムやデータ等が保存されたハードディスク装置２１３、ＦＤ２１４０が装填され、その装填されたＦＤ２１４０にアクセスするＦＤドライブ２１４、書込可能大容量メディア２１５１やＣＤ−ＲＯＭ２１５０が装填され、その装填されたＣＤ−ＲＯＭ２１５０や書込可能大容量メディア２１５１にアクセスする書込可能大容量メディアドライブ２１５が内蔵されている。これらの各種要素と、さらに、図２にも示す画像表示装置１２０、キーボード１３０、マウス１４０は、バス１２００を介して相互に接続されている。また、図１に示す３台のデジタルカメラと接続してそれぞれの動画データを読み込むために、パーソナルコンピュータ１００にはＵＳＢの入力インタフェース２１６が内蔵されている。この入力インタフェース２１６には、３つのＵＳＢコネクタが備えられており、図１に示す３台のデジタルカメラを一度にパーソナルコンピュータ１００と接続することが可能である。この入力インタフェース２１６も、パーソナルコンピュータ１００内部のハードウェアを構成する上述の各種要素と、バス１２００を介して相互に接続されている。
【００２７】
次に本発明の動画データ合成プログラムの一実施形態について説明する。
【００２８】
本発明の動画データ合成プログラムの一実施形態が、例えばＣＤ−ＲＯＭ２１５０に記憶されている場合には、このＣＤ−ＲＯＭ２１５０が書込可能大容量メディア装填口１１２から本体１１０内に装填されると、そのＣＤ−ＲＯＭ２１５０に記憶された動画データ合成プログラムが書込可能大容量メディアドライブ２１５によりこのパーソナルコンピュータ１００のハードディスク装置２１３内にインストールされる。そして、このハードディスク装置２１３内にインストールされた動画データ合成プログラムが起動されると、このパーソナルコンピュータ１００は、本発明の動画データ合成装置の一実施形態として動作する。
【００２９】
図４は、本発明の動画データ合成プログラムの一実施形態を示す図である。
【００３０】
ここでは、この動画データ合成プログラム９００は、ＣＤ−ＲＯＭ２１５０に記憶されている。なお、本発明にいう動画データ合成プログラム９００が記憶される記憶媒体としては、図４に示すＣＤ−ＲＯＭ２１５０のみならず、図３に示すハードディスク装置２１３やＦＤ２１４０、図３および図４には不図示のＭＯ等といった種々の記憶媒体が採用されうる。
【００３１】
この動画データ合成プログラム９００は、図２および図３に示すパーソナルコンピュータ１００内で実行され、上述したように、そのパーソナルコンピュータ１００を本発明の一実施形態として動作させるものであり、取得部２０、動画パケット抽出部２１、合成部２２を有している。
【００３２】
この動画データ合成プログラム９００の各要素の詳細な内容については後述する。
【００３３】
図５は、図２および図３に示すパーソナルコンピュータを本発明の動画データ合成装置の一実施形態として動作させるためにこのパーソナルコンピュータ上に構築される要素と、それらの要素による作用の概略を表す図である。
【００３４】
図４に示す動画データ合成プログラム９００が図２および図３に示すパーソナルコンピュータ１００にインストールされると、図５に示す取得部３０、動画パケット抽出部３１、合成部３２の各要素がパーソナルコンピュータ１００上に構築される。これらの要素によって、パーソナルコンピュータ１００が本発明の動画データ合成装置の一実施形態として動作する。取得部３０、動画パケット抽出部３１、合成部３２は、図４に示す動画データ合成プログラム９００における、取得部２０、動画パケット抽出部２１、合成部２２それぞれによってパーソナルコンピュータ１００上に構築されるものである。従って図４の各要素は図５の各要素に対応するが、この図５の各要素は、図２および図３に示すパーソナルコンピュータ１００のハードウェアとそのパーソナルコンピュータ１００で実行されるＯＳやアプリケーションプログラムとの組合せで構成されているのに対し、図４に示す動画データ合成プログラム９００の各要素はそれらのうちのアプリケーションプログラムのみにより構成されている点が異なる。以下では、図５に示す各要素と、各要素による作用の概略について説明する。
【００３５】
図１に示す３台のデジタルカメラ内にそれぞれ保存されているＭＰＥＧ圧縮形式の動画データが取得部３０によって取得され、その取得された３本の動画データから、撮影時刻が一致する所定時間分の動画データ部分（動画パケット）が、図５に示す動画パケット抽出部３１によりそれぞれ抽出され、合成部３２により合成される。この処理が３つの動画データの全撮影時間領域について繰り返された後、最終的に３本分の動画を合成した、いわゆるＭＰＥＧ２−ＴＳの圧縮形式の動画データとなって、図３に示す書込可能大容量メディアドライブ２１５を介して書込可能大容量メディア２１５１に記録される。そして、必要に応じて、画像表示装置１２０によって合成された動画の表示が行われる。
【００３６】
ここで、取得部３０および合成部３２が、本発明の動画データ合成装置の取得部および合成部の一例にそれぞれ相当し、動画パケット抽出部３１が、本発明の動画データ合成装置の時間確認部の一例に相当する。
【００３７】
次にパーソナルコンピュータ１００による動画データ合成処理の流れについて動画の具体例を用いて説明する。
【００３８】
図６は、一人の人物を、図１に示す３台のデジタルカメラを用いて、この人物の正面、左側面、および右側面からそれぞれ動画撮影を行った状況を表す図である。
【００３９】
この図に示すように、３台のデジタルカメラによって、この人物の正面、左側面、および右側面から多角的に動画撮影を行うことで、顔の表情の変化などについて一台のデジタルカメラを用いた動画撮影より多くの情報を得ることができる。
【００４０】
図７は、図６に示す動画撮影で得られる動画データを、各デジタルカメラごとに模式的に表した図である。
【００４１】
図７に示すように、各動画データは、それぞれ図６に示す人物の正面画像、左側面画像、および右側面画像の連続として模式的に表されており、これらの画像の下には、各画像の撮影時刻を表すｔ１からｔ１２までの記号のいずれかが付記されている。これらｔ１〜ｔ１２は、等時間間隔を置いた１２個の時刻目盛（いわゆるタイムスタンプ）を表しており、この図で上から１列目に示すデジタルカメラ１の動画では、撮影時刻ｔ１から撮影時刻ｔ１２まで連続的に撮影が行われたことを示している。一方、この図で上から２列目に示すデジタルカメラ２の動画では、撮影時刻ｔ３から撮影時刻ｔ６までの間の画像、および撮影時刻ｔ１０での画像がなく、これらの期間は、動画撮影が中止されていたことを表している。また、他に画像と比べて大きな画像で表された、撮影時刻ｔ１２での画像は、静止画の画像を表しており、図６に示す人物の左側面から撮影を行うデジタルカメラ２では、撮影時刻ｔ１２において静止画撮影が行われたことを示している。この図で一番下の、画像が４枚しかない動画では、デジタルカメラ３を用いて撮影時刻ｔ５から撮影時刻ｔ８までの間でのみ動画撮影が行われたことが示されている。
【００４２】
このように、時間的に連続していないような動画データであっても、図１に示すパーソナルコンピュータ１００は、撮影時間ごとに動画データを並べ直して、１つの動画データに合成することができる。以下では、図７に示す動画データに対し、パーソナルコンピュータ１００によるこの動画データ合成処理の流れについてフローチャートを用いて説明する。
【００４３】
図８は、図１に示すパーソナルコンピュータによる動画データ合成処理の動作を表すフローチャート図である。
【００４４】
まず、図１に示す３台のデジタルカメラ内にそれぞれ保存されているＭＰＥＧ圧縮形式の動画データが取得部３０によって取得され、その取得された３本の動画データそれぞれにおいて、図５に示す動画パケット抽出部３１により、各動画データ中のタイムスタンプの読み取りが行われる（ステップＳ１）。そして、この読み取り結果に基づき、３つの動画データから、それぞれ撮影時刻が一致する所定時間分の動画データ部分（動画パケット）が抽出され（ステップＳ２）、図３に示すメモリ２１２に蓄えられる。本実施形態では、図７に示す画像の連続で表した各動画データにおいて、画像３つ分のデータがこの動画パケットとしてそれぞれ抽出される。例えば、撮影時刻ｔ１〜ｔ３までの動画パケットについては、図７の上から１列目に示すデジタルカメラ１の動画からは撮影時刻ｔ１〜ｔ３までの動画データ部分が抽出され、上から２列目に示すデジタルカメラ２の動画では、撮影時刻ｔ３でのデータはないので撮影時刻ｔ１〜ｔ２までの動画データ部分だけが抽出されて撮影時刻ｔ３でのデータは空データとなる。上から３列目に示すデジタルカメラ３の動画には、撮影時刻ｔ１〜ｔ３までの動画データ部分は存在しないので抽出は行われずすべて空データとなる。このような撮影時刻が一致する動画パケットの抽出処理により各動画データの間で、時間についての同期が行われることとなる。
【００４５】
次に図５に示す合成部３２により、撮影時刻が一致する３つの動画パケットの合成が行われて１つの動画の構成要素となり、いわゆるＴＳパケット（トランスポートストリームパケット）が作成される（ステップＳ３）。このようなステップＳ１〜ステップＳ３までの処理を、最後の動画パケットになる（ステップＳ４；Ｙｅｓ）まで繰り返す。この具体例では、画像３つ分のデータが１つの動画パケットとして処理されていくので、撮影時刻ｔ１〜ｔ１２までの動画データを処理するのに、ステップＳ１〜ステップＳ３までの処理が４回繰り返されることになる。
【００４６】
図９は、図８に示す各動画データを撮影時間を合わせて同期した動画データと、ＴＳパケットの連なりとして表された合成後の動画データとを表した図である。
【００４７】
図８に示す各動画データを撮影時間によって同期すると、概念的には図９のパート（ａ）に示す動画データとなる。これらの動画データから、撮影時刻が一致する画像３つ分
の動画パケットがそれぞれ抽出されて合成されることでＴＳパケットが作成される。そして、この処理が、撮影時刻ｔ１〜ｔ３，撮影時刻ｔ４〜ｔ６，撮影時刻ｔ７〜ｔ９，撮影時刻ｔ１０〜ｔ１２の４つの区間でそれぞれ行われ、その結果、図９のパート（ｂ）に示すように、これら４つのＴＳパケットからなる合成した動画データが完成する。
【００４８】
このようにして合成した動画データは、１本の動画ストリームを表す動画データとして図３に示す書込可能大容量メディア２１５１に記録される（ステップＳ５）。
【００４９】
このように、このパーソナルコンピュータ１００では、動画データ中のタイムスタンプを利用することで、動画データの同期を行いながら人間の手作業無しで自動的に動画データの合成を行うことができる。
【００５０】
また、このパーソナルコンピュータ１００では、このようにして合成した動画を図２に示す表示画面１２１上で再生する際に、合成前の３つの動画のうち好みの動画を大画面で再生させることができるとともに、動画のチャンネルを切り換えることで、大画面で再生させる動画を他の動画に切り換えることもできる。以下では、合成した動画を再生する際のチャンネルの切り換えについて説明する。
【００５１】
図１０は、図８に示す処理により合成された動画を再生する際に、図２に示す表示画面上に表示される画面を表す図である。
【００５２】
このパーソナルコンピュータ１００で合成した動画を再生すると、選択されたチャンネルの動画が大画面で再生され、残りの動画については、その大画面で再生されている動画と同期して、同じ画面の中の小さなウィンドウの中で再生される。この図１０には、５つの撮影時刻ｔ３，ｔ５，ｔ７，ｔ９，ｔ１２それぞれで選択可能な画面が示されており、
図１０のパート（ａ），パート（ｂ），パート（ｃ）には、それぞれ図９のパート（ａ）の各動画のチャンネルが選択されて大画面で表示された際の画面が示されている。すなわち、図１０のパート（ａ）には、図９のパート（ａ）の上から１列目に示す動画が大画面で表示された際の画面が示され、同様に、図１０のパート（ｂ）には、図９のパート（ａ）の上から２列目に示す動画が大画面で表示された際の画面が示され、図１０のパート（ｃ）には、図９のパート（ａ）の最下列に示す動画が大画面で表示された際の画面が示されている。
【００５３】
撮影時刻ｔ３では、合成された動画データには、図９のパート（ａ）の上から１列目に示す動画データ中の画像データしか存在しないため、図１０のパート（ａ）に示すように、この動画中の撮影時刻ｔ３における画像のみが、図２に示す表示画面１２１上に大画面で表示され、他の動画が再生されるウィンドウは現れていない。
【００５４】
撮影時刻ｔ５では、合成された動画データには、図９のパート（ａ）の最上列に示す動画データ中の画像データと、図９のパート（ａ）の最下列に示す動画データ中の画像データとが存在する。この場合、例えば図１０のパート（ａ）の撮影時刻ｔ５での画面では、人物の正面画像が大画面で表示されているとともに、画面の右下に、人物の右側面画像が小さいウィンドウ内に表示されている。ここで、ユーザが、人物の右側面画像を大画面で表示させたい場合には、図３に示すマウス１４０によって、画面の右下の小さいウィンドウ内でクリックを行うことで、人物の右側面画像のチャンネルに切り換えることができる。このチャンネル切り換えの操作により、表示画面が、図１０のパート（ｃ）に示す画面（撮影時刻ｔ５）に切り換わり、人物の右側面画像が大画面で表示され、人物の正面画像が小さいウィンドウ内に表示されることになる。ここで、小さいウィンドウ内でクリックを行うと、画面は再び、図１０のパート（ａ）に示す画面に戻ることとなる。
【００５５】
撮影時刻ｔ７では、合成された動画データには、図９のパート（ａ）に示す全ての動画データについての画像データが存在する。このため、図１０に示すように、３つの動画のうち、１つの動画中の画像が大画面で表示され、残りの２つの動画の画像については、それぞれが小さいウィンドウ内に表示される。そして、それぞれの画面において小さいウィンドウ内部でクリックを行うことで大画面で表示する画像の切り換えが行われる。
【００５６】
撮影時刻ｔ９，ｔ１２においても、撮影時刻ｔ５での画面と同様の切り換えが、人物の正面画像と、人物の左側面画像との間で行うことができる。撮影時刻ｔ１２においては、人物の左側面画像は、静止画であるが、静止画が動画の間に存在している場合でも動画と同様に表示することが可能である。このように、合成された動画データには複数の動画が互いに同期して複数のチャンネルとして包含されているので、上述したようなチャンネル切換などによって複数の動画を同時進行で楽しむことができる。
【００５７】
以上が本実施形態の説明である。
【００５８】
本実施形態は、音声を伴わない動画を合成する動画データ合成装置および動画データ合成プログラムであるが、本発明は、音声と組み合わされている複数の動画に対して、画面を切り替えると音声も切り替わるような、音声と同期した動画を合成する動画データ合成装置および動画データ合成プログラムであってもよい。また、この場合、上記の図１０のパート（ｂ）のような静止画が再生されている時には他の動画の音声が流れるようにすることも可能である。
【図面の簡単な説明】
【００５９】
【図１】本発明の一実施形態が適用された動画データ合成システムの全体構成図である。
【図２】本発明の動画データ合成装置の一実施形態として動作するパーソナルコンピュータの外観斜視図である。
【図３】図２に外観斜視図を示したパーソナルコンピュータのハードウェア構成図である。
【図４】本発明の動画データ合成プログラムの一実施形態を示す図である。
【図５】図２および図３に示すパーソナルコンピュータを本発明の動画データ合成装置の一実施形態として動作させるためにこのパーソナルコンピュータ上に構築される要素と、それらの要素による作用の概略を表す図である。
【図６】一人の人物を、図１に示す３台のデジタルカメラを用いて、この人物の正面、左側面、および右側面からそれぞれ動画撮影を行った状況を表す図である。
【図７】図６に示す動画撮影で得られる動画データを、各デジタルカメラごとに模式的に表した図である。
【図８】図１に示すパーソナルコンピュータによる動画データ合成処理の動作を表すフローチャート図である。
【図９】図８に示す各動画データを撮影時間を合わせて同期した動画データと、ＴＳパケットの連なりとして表された合成後の動画データとを表した図である。
【図１０】図８に示す処理により合成された動画を再生する際に、図２に示す表示画面上に表示される画面を表す図である。
【符号の説明】
【００６０】
１，２，３  デジタルカメラ
２０１，２０２，２０３  ＵＳＢケーブル
２０  取得部
２１  動画パケット抽出部
２２  合成部
３０  取得部
３１  動画パケット抽出部
３２  合成部
１００  パーソナルコンピュータ
１１０  本体部
１１１  ＦＤ装填口
１１２  書込可能大容量メディア装填口
１２０  画像表示装置
１２１  表示画面
１３０  キーボード
１４０  マウス
１２００  バス
２１１  ＣＰＵ
２１２  メモリ
２１３  ハードディスク装置
２１４  ＦＤドライブ
２１４０  ＦＤ
２１５  書込可能大容量メディアドライブ
２１５０  ＣＤ−ＲＯＭ
２１５１  書込可能大容量メディア
２１６  入力インタフェース
９００  動画データ合成プログラム
【図１】
2007074277.tif 000003
【図２】
2007074277.tif 000004
【図３】
2007074277.tif 000005
【図４】
2007074277.tif 000006
【図５】
2007074277.tif 000007
【図６】
2007074277.tif 000008
【図７】
2007074277.tif 000009
【図８】
2007074277.tif 000010
【図９】
2007074277.tif 000011
【図１０】
2007074277.tif 000012